(57)【要約】【課題】パケット無線通信システムにおける無線サブシステムの選択を円滑にするための装置および関連する方法を提供すること。【解決手段】複数の無線サブシステムを有する無線通信システムにおける無線サブシステムの選択を円滑にするための装置であって、該装置は、無線通信システム容量の指示を受信するように適合された容量指示コレクタであって、該容量指示コレクタは、そこで受信された指示を収集するように構成されている、容量指示コレクタと、該容量指示コレクタによって収集された該指示の値を受信するように適合された総容量デタミナであって、該総容量デタミナは、該容量指示コレクタによって収集された該指示に応答して総容量値を決定するように構成され、該総容量値は、該無線サブシステムの選択に従って使用される、総容量デタミナと、を備えている、装置。【選択図】図２
2008035525.tif 000002
【特許請求の範囲】
【請求項１】
複数の無線サブシステムを有する無線通信システムにおける無線サブシステムの選択を円滑にするための装置であって、該装置は、
無線通信システム容量の指示を受信するように適合された容量指示コレクタであって、該容量指示コレクタは、そこで受信された指示を収集するように構成されている、容量指示コレクタと、
該容量指示コレクタによって収集された該指示の値を受信するように適合された総容量デタミナであって、該総容量デタミナは、該容量指示コレクタによって収集された該指示に応答して総容量値を決定するように構成され、該総容量値は、該無線サブシステムの選択に従って使用される、総容量デタミナと
を備えている、装置。
【請求項２】
前記無線通信システムは、コアネットワークを備え、該無線通信システムの前記指示は、コアネットワーク容量の指示を備えている、請求項１に記載の装置。
【請求項３】
前記無線通信システムは、迂回中継ネットワークを備え、該無線通信システムの前記指示は、迂回中継ネットワーク容量の指示を備えている、請求項１に記載の装置。
【請求項４】
前記無線通信システムは、無線アクセスネットワークを備え、該無線通信システムの指示は、無線アクセスネットワーク容量の指示を備えている、請求項１に記載の装置。
【請求項５】
前記容量指示コレクタは、複数の異なる無線通信システム容量の指示を収集し、前記総容量デタミナによって決定された前記総容量値は、該複数の異なる無線通信システム容量の組み合わせを備えている、請求項１に記載の装置。
【請求項６】
前記複数の異なる無線通信システム容量の前記組み合わせは、該複数の異なる無線通信システム容量の少なくとも一部の積を備えている、請求項５に記載の装置。
【請求項７】
前記複数の異なる無線通信システム容量の前記組み合わせは、該複数の異なる無線通信システム容量の加重値の積を備えている、請求項５に記載の装置。
【請求項８】
前記総容量デタミナによって決定された前記総容量値を受信するように適合された量子化器であって、該量子化器は、該総容量値を量子化するように構成されている、量子化器をさらに備えている、請求項１に記載の装置。
【請求項９】
前記総容量値の表示を受信するように適合された制御メッセージジェネレータであって、該メッセージジェネレータは、該総容量値を示す値を含む制御メッセージを生成するように構成されている、メッセージジェネレータをさらに備えている、請求項１に記載の装置。
【請求項１０】
前記無線通信システムは、移動局を備え、前記メッセージジェネレータによって生成された前記制御メッセージは、該移動局に同報通信される、請求項９に記載の装置。
【請求項１１】
前記移動局は、前記メッセージジェネレータによって生成された前記制御メッセージを受信するように適合された無線サブシステムセレクタを備えている、請求項１０に記載の装置。
【請求項１２】
最小信号インディシア閾値を選択するように構成されている選択閾値セレクタをさらに備えている、請求項１に記載の装置。
【請求項１３】
前記総容量値および前記最小信号インディシア閾値の表示を受信するように適合された制御メッセージジェネレータであって、該制御メッセージジェネレータは、該総容量値を指示する値と、該最小信号インディシア閾値を指示する値とを含む制御メッセージを生成するように構成されている、制御メッセージジェネレータをさらに備えている、請求項１２に記載の装置。
【請求項１４】
前記無線通信システムは、移動局を備え、前記メッセージジェネレータによって生成された前記制御メッセージは、該移動局に同報通信され、前記総容量値および前記最小信号インディシア閾値の両方は該移動局に提供される、請求項１３に記載の装置。
【請求項１５】
前記移動局は、前記制御メッセージを受信するように適合された無線サブシステムセレクタを備え、無線サブシステムの選択は、最良の特性の総容量値に関連し、かつ前記最小信号インディシア閾値と少なくとも同程度の信号インディシアに関連する無線サブシステムからなる、請求項１４に記載の装置。
【請求項１６】
複数の無線サブシステムを有する無線通信システムの移動局による無線サブシステムの選択を円滑にするための装置であって、該装置は、
該移動局における制御メッセージの受信を検出するように適合された制御メッセージ検出器であって、該制御メッセージは、無線通信システム容量の指示を表す総容量値を含む、制御メッセージ検出器と、
該制御メッセージ検出器によって検出された該制御メッセージの該総容量値の指示を受信するように適合された無線サブシステムセレクタであって、該無線サブシステムセレクタは、該総容量値に応答して該無線サブシステムの選択を行うように構成されている、無線サブシステムセレクタと
を備えている、装置。
【請求項１７】
複数の無線サブシステムを有する無線通信システムにおける無線サブシステムの選択を円滑にするための方法であって、該方法は、
無線通信システム容量の指示を収集する動作と、
該収集する動作の間に収集された該指示に応答して総容量値を決定する動作であって、該総容量値は、該無線サブシステムの選択に従って使用される、動作と
を包含する、方法。
【請求項１８】
前記総容量値を含む制御メッセージを形成する動作をさらに包含する、請求項１７に記載の方法。
【請求項１９】
前記無線通信システムは、移動局を備え、前記方法は、
前記制御メッセージを該移動局に送信する動作と、
該制御メッセージに含まれる前記総容量値に応答して、該移動局において前記無線サブシステムを選択する動作と
をさらに包含する、請求項１８に記載の方法。
【請求項２０】
前記無線通信システムは、コアネットワーク、迂回中継ネットワーク、および無線アクセスネットワークを備え、前記決定する動作の間に決定された前記総容量値は、コアネットワーク容量インディシア、迂回中継ネットワーク容量インディシア、無線アクセスネットワーク容量インディシアの組み合わせを備えている、請求項１７に記載の方法。
【請求項２１】
前記総容量値は、前記コアネットワーク容量インディシアを表す値、前記迂回中継ネットワーク容量インディシアを表す値、および前記無線アクセスネットワーク容量インディシアを表す値の積を備えている、請求項２０に記載の方法。
【発明の詳細な説明】
【技術分野】
【０００１】
本発明は、広く、パケットデータ（例えば、ＧＳＭ／ＧＰＲＳ／ＥＤＧＥ通信システムで通信されるデータ）を通信する、基地トランシーバ局または他の無線サブシステムを選択または再選択する様式に関する。さらに特に、本発明は、装置および関連する方法に関しており、これらによって、信号の強度または質および利用可能な容量に基づいて無線サブシステムを選択する。
【０００２】
無線サブシステムのより最適な選択は、選択を行うために使用される判定基準が、データ、典型的にはバースト（ｂｕｒｓｔｙ）特性のデータ（すなわち、バーストで伝送されたデータ）が通信される場合の選択を最適化するために良好に基づく場合に提供される。（例えば、回線交換型音声通信、または非バースト通信に従って、無線サブシステムを選択または再選択するために従来利用された）次善の選択判定基準に依存せず；むしろ選択は、バースト通信の独特な特性および要求（例えば、複数の近接のタイムスロット割り当ての割り当て要求）に基づく。
【背景技術】
【０００３】
移動無線通信システムの使用は、現代社会において普及している。セル式通信システムのネットワークインフラストラクチャは、例えば、世界の居住エリアのかなりの部分に対して展開されており、これらを介する通信のために容易にアクセス可能である。セル式通信システムは一般的に、比較的に低電力の信号が、移動局とこのようなシステムのネットワークインフラストラクチャとの間の通信を達成するように生成される場合に、通信のために該システムに割り当てられた帯域幅を効果的に利用する。セル式通信システムのネットワークインフラストラクチャは、複数の間隔を空けた基地局（各々がセルを定義する）を含む。低電力の信号のみを伝送することによって、同一のチャネルは、比較的に短い距離内で再利用可能である。さらに、チャネルは、いわゆるセル再利用スキームに従って再利用される。
【０００４】
セル式通信システムによって囲まれたエリア内で移動局が移動する場合には、またはそうでない場合には再配置される場合には、異なる基地トランシーバ局間または他の無線サブシステムエンティティ間でのハンドオフ通信に対するニーズが時折あることにより、移動局の連続する通信を可能にする。セル間の通信のハンドオフ（すなわちこのようなセルを定義する無線サブシステム）において、どちらの無線サブシステムに通信をハンドオフするか、およびいつ通信をハンドオフするかの両方に関して、決定がなされなければならない。
【０００５】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）は、例示的なセル式通信システムである。ＧＳＭシステムは、一般的に、特に、このようなシステムにおいて動作可能なデバイスに要求される動作プロトコルおよび要求を述べたＧＳＭ動作仕様に従って動作する。ＧＳＭ技術は、元来、回線交換技術に基づき、通信エンドポイント間の回線交換接続を提供した。しかしながら、ＧＰＲＳ（Ｇｅｎｅｒａｌ  Ｐａｃｋｅｔ  Ｒａｄｉｏ  Ｓｙｓｔｅｍ）および、より最近では、ＥＤＧＥ（Ｅｎｈａｎｃｅｄ  Ｄａｔａ  ｆｏｒ  ＧＳＭ  Ｅｖｏｌｕｔｉｏｎ）能力が追加されることにより、パケット交換技術を利用する高速で可変レートのデータ通信サービスを提供する。ＥＤＧＥは、本質的に、ＧＰＲＳの特別なセットであり、ＧＳＭネットワークのネットワークインフラストラクチャおよび本明細書で定義される無線波インタフェースによる、パケットベースのユーザデータ交換の能力を提供する。ＥＤＧＥおよびＧＰＲＳデータ通信は、回線交換接続および技術を用いるＧＳＭネットワークによって従来は通信される音声通信の特性とは異なる特性を定期的に示す。データ通信の１つの有意な特性は、一般的にそれらのバースト性質である。すなわち、データは典型的にバーストで通信される。さらに、タイムスロットを利用するシステム（例えば、ＧＳＭ）において、複数の近接するタイムスロットが、時折データをバーストで通信するために必要とされる。
【０００６】
現存するＧＳＭ動作において、ハンドオフは、一般的に、ＧＳＭシステムのネットワークインフラストラクチャの基地トランシーバ局または他の無線サブシステムエレメントによって通信される信号のＲＳＳＩ（Ｒｅｃｅｉｖｅｄ  Ｓｉｇｎａｌ  Ｓｔｒｅｎｇｔｈ  Ｉｎｄｉｃａｔｉｏｎ：受信信号強度指示）レベルの決定に基づいている。どこで、いつ、ＲＳＳＩレベルに基づいて通信をハンドオフするかを決定することは、音声情報がＧＳＭシステムで通信される場合に良好に働く。機敏なハンドオーバメカニズムは、信号の質が劣化し、またはビットエラーの確率が増加し、選択された閾値を超える場合に、無線チャネルの中で回線交換技術を用いる音声通信を移動するために現在利用可能である。しかしながら、このような現存するハンドオフメカニズムは、データ通信のハンドオフを選択する場合には、次善のものである。すなわち、対応する機敏なハンドオフメカニズムはＧＰＲＳ／ＥＤＧＥ仕様の一部ではない。今述べたデータ通信は、達成のために、単一のタイムスロット割り当てではなく、複数の近接するタイムスロット割り当てを定期的に要求し、より典型的には音声通信に割り当てられる。
【０００７】
データ通信のための無線サブシステムの選択の最適化をより良くする様式は、通信されるデータによって定期的に示される、または該データに要求される特性を考慮すると、結果として有利である。
【０００８】
無線通信システムにおける無線サブシステムの選択に関する本背景情報の観点から、本発明の有意な改良が発展される。
【発明の開示】
【課題を解決するための手段】
【０００９】
本発明は、さらに以下の手段を提供する。
【００１０】
（項目１）
複数の無線サブシステムを有する無線通信システムにおける無線サブシステムの選択を円滑にするための装置であって、該装置は、
無線通信システム容量の指示を受信するように適合された容量指示コレクタであって、該容量指示コレクタは、そこで受信された指示を収集するように構成されている、容量指示コレクタと、
該容量指示コレクタによって収集された該指示の値を受信するように適合された総容量デタミナであって、該総容量デタミナは、該容量指示コレクタによって収集された該指示に応答して総容量値を決定するように構成され、該総容量値は、該無線サブシステムの選択に従って使用される、総容量デタミナと
を備えている、装置。
【００１１】
（項目２）
上記無線通信システムは、コアネットワークを備え、該無線通信システムの上記指示は、コアネットワーク容量の指示を備えている、項目１に記載の装置。
【００１２】
（項目３）
上記無線通信システムは、迂回中継ネットワークを備え、該無線通信システムの上記指示は、迂回中継ネットワーク容量の指示を備えている、項目１に記載の装置。
【００１３】
（項目４）
上記無線通信システムは、無線アクセスネットワークを備え、該無線通信システムの指示は、無線アクセスネットワーク容量の指示を備えている、項目１に記載の装置。
【００１４】
（項目５）
上記容量指示コレクタは、複数の異なる無線通信システム容量の指示を収集し、上記総容量デタミナによって決定された上記総容量値は、該複数の異なる無線通信システム容量の組み合わせを備えている、項目１に記載の装置。
【００１５】
（項目６）
上記複数の異なる無線通信システム容量の上記組み合わせは、該複数の異なる無線通信システム容量の少なくとも一部の積を備えている、項目５に記載の装置。
【００１６】
（項目７）
上記複数の異なる無線通信システム容量の上記組み合わせは、該複数の異なる無線通信システム容量の加重値の積を備えている、項目５に記載の装置。
【００１７】
（項目８）
上記総容量デタミナによって決定された上記総容量値を受信するように適合された量子化器であって、該量子化器は、該総容量値を量子化するように構成されている、量子化器をさらに備えている、項目１に記載の装置。
【００１８】
（項目９）
上記総容量値の表示を受信するように適合された制御メッセージジェネレータであって、該メッセージジェネレータは、該総容量値を示す値を含む制御メッセージを生成するように構成されている、メッセージジェネレータをさらに備えている、項目１に記載の装置。
【００１９】
（項目１０）
上記無線通信システムは、移動局を備え、上記メッセージジェネレータによって生成された上記制御メッセージは、該移動局に同報通信される、項目９に記載の装置。
【００２０】
（項目１１）
上記移動局は、上記メッセージジェネレータによって生成された上記制御メッセージを受信するように適合された無線サブシステムセレクタを備えている、項目１０に記載の装置。
【００２１】
（項目１２）
最小信号インディシア閾値を選択するように構成されている選択閾値セレクタをさらに備えている、項目１に記載の装置。
【００２２】
（項目１３）
上記総容量値および上記最小信号インディシア閾値の表示を受信するように適合された制御メッセージジェネレータであって、該制御メッセージジェネレータは、該総容量値を指示する値と、該最小信号インディシア閾値を指示する値とを含む制御メッセージを生成するように構成されている、制御メッセージジェネレータをさらに備えている、項目１２に記載の装置。
【００２３】
（項目１４）
上記無線通信システムは、移動局を備え、上記メッセージジェネレータによって生成された上記制御メッセージは、該移動局に同報通信され、上記総容量値および上記最小信号インディシア閾値の両方は該移動局に提供される、項目１３に記載の装置。
【００２４】
（項目１５）
上記移動局は、上記制御メッセージを受信するように適合された無線サブシステムセレクタを備え、無線サブシステムの選択は、最良の特性の総容量値に関連し、かつ上記最小信号インディシア閾値と少なくとも同程度の信号インディシアに関連する無線サブシステムからなる、項目１４に記載の装置。
【００２５】
（項目１６）
複数の無線サブシステムを有する無線通信システムの移動局による無線サブシステムの選択を円滑にするための装置であって、該装置は、
該移動局における制御メッセージの受信を検出するように適合された制御メッセージ検出器であって、該制御メッセージは、無線通信システム容量の指示を表す総容量値を含む、制御メッセージ検出器と、
該制御メッセージ検出器によって検出された該制御メッセージの該総容量値の指示を受信するように適合された無線サブシステムセレクタであって、該無線サブシステムセレクタは、該総容量値に応答して該無線サブシステムの選択を行うように構成されている、無線サブシステムセレクタと
を備えている、装置。
【００２６】
（項目１７）
複数の無線サブシステムを有する無線通信システムにおける無線サブシステムの選択を円滑にするための方法であって、該方法は、
無線通信システム容量の指示を収集する動作と、
該収集する動作の間に収集された該指示に応答して総容量値を決定する動作であって、該総容量値は、該無線サブシステムの選択に従って使用される、動作と
を包含する、方法。
【００２７】
（項目１８）
上記総容量値を含む制御メッセージを形成する動作をさらに包含する、項目１７に記載の方法。
【００２８】
（項目１９）
上記無線通信システムは、移動局を備え、上記方法は、
上記制御メッセージを該移動局に送信する動作と、
該制御メッセージに含まれる上記総容量値に応答して、該移動局において上記無線サブシステムを選択する動作と
をさらに包含する、項目１８に記載の方法。
【００２９】
（項目２０）
上記無線通信システムは、コアネットワーク、迂回中継ネットワーク、および無線アクセスネットワークを備え、上記決定する動作の間に決定された上記総容量値は、コアネットワーク容量インディシア、迂回中継ネットワーク容量インディシア、無線アクセスネットワーク容量インディシアの組み合わせを備えている、項目１７に記載の方法。
【００３０】
（項目２１）
上記総容量値は、上記コアネットワーク容量インディシアを表す値、上記迂回中継ネットワーク容量インディシアを表す値、および上記無線アクセスネットワーク容量インディシアを表す値の積を備えている、項目２０に記載の方法。
【００３１】
（摘要）
無線通信システムにおいて無線サブシステムを選択するための装置および関連する方法。選択は、データ通信サービスに従うデータの通信のための選択をより良く最適化する様式でなされる。ネットワーク容量アナライザは、通信システム容量に関連する計量情報を収集する容量インディシアコレクタを含む。ネットワーク情報は、例えば、無線通信システムの、迂回中継ネットワーク、無線アクセスネットワーク、およびコアネットワークに属する。収集された情報は、通信システムの総容量を決定する総容量デタミナに提供される。このような値は移動局に提供される。値は、通信するために無線サブシステムを選択する再選択手順に従って使用される。
【発明を実施するための最良の形態】
【００３２】
従って、本発明は、装置および関連する方法を有利に提供し、これらにより、基地トランシーバ局または他の無線サブシステムを選択または再選択し、これらを介してパケットデータ（例えば、ＧＳＭ／ＧＰＲＳ／ＥＤＧＥ通信システムにおいて通信されるデータ）を通信する。
【００３３】
本発明の実施形態の動作を介して、信号の強度または質および利用可能な容量の組み合わせに基づいて無線サブシステムを選択する様式が提供される。
【００３４】
本発明の一局面において、選択が無線サブシステム選択をより最適化するような判定基準に基づいている場合に、無線サブシステムのより最適な選択が提供される。選択判定基準は、データ通信特性特有の判定基準を含む。すなわち、判定基準はデータ通信の典型的なバースト性質を考慮に入れ、データ通信において、複数の近接するタイムスロット割り当てを要求するデータは定期的にバーストで伝送される。セルの選択に従って使用される選択判定基準および回線交換型音声通信に従う再選択は、データ通信に重要な判定基準に基づく無線サブシステムの選択をより良く最適化する判定基準に取り替えられる。
【００３５】
本発明の別の局面において、ネットワーク容量アナライザが配置されることにより、無線通信システム容量のインディシアを提供され、これらを受信すると、無線通信システム容量が解析される。例えば、受信されたインディシアを時間ベースまたはタイプベースのいずれかで、あるいはそれらの組み合わせで、結合することにより解析が行われる。
【００３６】
本発明の別の局面においては、無線通信システム容量は、コアネットワーク容量計量を備えている。すなわち、無線通信システムは、コアネットワークを含み、インディシアはコアネットワーク通信容量またそれに関連する指示を識別する。
【００３７】
本発明の別の局面においては、無線通信システムインディシアは、迂回中継容量計量を備えている。すなわち、無線通信システムは、迂回中継ネットワークを含み、迂回中継容量計量は、迂回中継ネットワーク容量を示すか、またはそれを示す指示である。
【００３８】
本発明の別の局面においては、無線通信システム容量インディシアは、無線システム容量計量を備えている。すなわち、無線通信システムは無線アクセスネットワーク部を含み、無線システム容量計量は、無線アクセスネットワーク容量の指示またはそれを示す指示を備えている。
【００３９】
ネットワーク容量アナライザによって行われる解析は、選択された様式で、該アナライザに提供された指示を結合し、ターゲットの無線サブシステムまたは複数のサブシステムにおける利用可能な容量を示す値を形成する。量子化された値は、選択されたレベルの精度に量子化される。アナライザによって行われる結合は、例えば、受信された指示またはその表示の１つ以上の値の積を形成することを含む。量子化された値は、例えば、０と１との間の４ビットの値の形態である。
【００４０】
ネットワーク容量アナライザは、無線アクセスネットワークにおいて（例えば、基地局コントローラにおいて）具体化され、無線アクセスネットワークの１つ以上の機能的なエンティティの中で（または他の場所に）分散される。ネットワーク配置された場合に、一旦利用可能な容量値が決定されると、値は、その間に形成される無線波インタフェースによって移動局に提供される。利用可能な容量値は、例えば、制御チャネル上に送信される制御メッセージの一部として送信される。
【００４１】
本発明の別の局面において、追加の値が、決定された値と共に、または決定された値から分離して送信される。一インプリメンテーションにおいて、最小信号閾値（例えば、最小ＲＳＳＩ値）あるいは最大許容ビットエラー確率またはレート値の両方が送信される。別のインプリメンテーションにおいて、最小容量閾値が送信される。さらに、一インプリメンテーションにおいて、最小信号閾値および最小容量閾値の両方が送信される。
【００４２】
本発明の別の局面において、移動局は、移動局に送信された制御メッセージを検出するように適合された検出器を含む。制御メッセージは、例えば、無線アクセスネットワークによって、制御チャネルに送信された制御メッセージの一部として通信される利用可能な容量値を含む。検出された値またはその指示は、無線サブシステムセレクタに提供される。セレクタは無線通信システムの無線サブシステムの無線サブシステムの選択を行い、移動局は通信サービスに従って、このシステムと通信する。利用可能な容量値が作成され、かつ利用可能な容量値はデータ通信に重要な判定基準に基づくので、結果として生じる、利用可能な容量値に基づく無線サブシステムの選択がより良くなされることにより、データ通信に対する選択を最適化する。
【００４３】
結果として、これらのおよび他の局面において、複数の無線サブシステムを有する無線通信システムにおける無線通信サブシステムの選択を円滑にするための装置および関連する方法が提供される。容量指示コレクタは、無線通信システム容量の指示を受信するように適合される。コレクタはそこで受信された指示を収集するように構成されている。総容量デタミナ（ｄｅｔｅｒｍｉｎｅｒ）は、容量指示コレクタによって収集された指示の値を受信するように適合される。総容量デタミナは、容量指示コレクタによって収集された指示に応答して総容量値を決定するように構成されている。総容量値は無線サブシステムの選択に従って使用される。
【００４４】
それゆえ、まず図１を参照して、全体として１０で示される無線通信システムは、移動局を用いる無線通信を提供し、この移動局１２は例示的である。例示的なインプリメンテーションにおいて、通信システムは、ＧＳＭ／ＧＰＲＳ／ＥＤＧＤ（Ｇｌｏｂａｌ  Ｓｙｓｔｅｍ  ｆｏｒ  Ｍｏｂｉｌｅ  ｃｏｍｍｕｎｉｃａｔｉｏｎｓ／Ｇｅｎｅｒａｌ  Ｐａｃｋｅｔ  Ｒａｄｉｏ  Ｓｅｒｖｉｃｅ／Ｅｎｈａｎｃｅｄ  Ｄａｔａ  ｆｏｒ  ＧＳＭ  Ｅｖｏｌｕｔｉｏｎ）に関連する仕様において述べられる動作プロトコルおよび手順に、一般的に従って動作可能である部分を含む。以下の記載は、通信システムの例示的な動作を、その例示的なインプリメンテーションに関して記載するが、通信システムは、より一般的に、データ通信サービスを提供する任意の種々のタイプの無線通信を示す。例示的な実施形態の以下の記載は、結果として、例示のみによる。さらに、適切な改変を用いて、図１の通信システムの部分を形成するために示される機能的なエンティティは、他のタイプのデータ無線通信システムにおける対応するエンティティを示す。
【００４５】
移動局１２は、移動可能であることにより、一連の時間において、移動局は通信システムによって囲まれたエリア全体にわたって一連の位置に配置される。移動局の移動は、移動局がデータ通信サービスを達成するために使用される間の時間、ならびに移動局によるデータ通信サービスの達成の間の移動の間の両方で、可能である。
【００４６】
無線通信システムのネットワークインフラストラクチャは、無線アクセスネットワーク１４を含み、無線アクセスネットワーク１４は、複数の無線サブシステム部分１６を含む。無線サブシステム部分１６は、各々基地トランシーバ局（ＢＴＳ）１８または類似のタイプのデバイスを含み、これは、デバイス１２および１８がお互いに通信範囲にある場合には、移動局１２との無線波インタフェース（ここで矢印２２によって示される）による通信信号の送受信を可能にする。移動局が移動する場合には、移動局は、一連の基地トランシーバ局により定義されるカバレッジエリアまたはセルに配置される。すなわち、移動局は一連の無線サブシステムと通信接続性を有するように配置可能である。移動局が新しい無線サブシステムのカバレッジエリアに入り、古い無線サブシステムのカバレッジエリアから離れる時に、通信ハンドオフが行われることにより、通信または連続する通信を可能にする。最適な様式において通信をハンドオフするために、ハンドオフは正確な無線サブシステムに対して、かつ適切なハンドオフ時間において、すなわちハンドオフが最も適切に達成される時間において行われなければならない。
【００４７】
無線アクセスネットワークは、特に、コントローラに結合される無線サブシステムのグループの基地トランシーバ局の動作を制御するように動作する基地局コントローラ（ＢＳＣ）２６として識別される制御エンティティを含むようにここでさらに示される。
【００４８】
無線アクセスネットワークは、通信エンドポイント（ここでは通信エンドポイント（ＣＥ）３４によって示される）との通信接続性を提供するコアネットワーク３２と、従来の様式で結合され、通信エンドポイント３４を用いて、データ通信はデータ通信サービスの性能に従って移動局１２を用いて達成される。
【００４９】
さらに、無線通信システムはまた、迂回中継ネットワーク３６を含む。迂回中継ネットワークは高帯域幅のネットワーク間接続を提供する一般的で従来的な構造であることにより、通信システムの動作の間に通信された通信トラフィック（音声トラフィックおよびデータトラフィックの両方）をサポートする。
【００５０】
上記したように、移動局１２との通信は、無線サブシステム間でハンドオフされることにより、無線サブシステムの異なる移動局によって定義される異なるカバレッジエリア内に配置される場合に、移動局は通信することが可能である。しかしながら、従来のハンドオフの選択スキームは、従来は、データ通信ではなく、回線交換型音声通信を最適化するように構成されている。データ通信は、典型的に、回線交換型音声通信の特性（例えば、典型的にデータ通信のバースト性を含む）とは類似しない特性を示す。従って、ネットワークインフラストラクチャは、本発明の実施形態の装置４８を含む。例示的なインプリメンテーションにおいて、装置４８は、基地局コントローラまたは無線アクセスネットワークの他の制御エンティティにおいて具体化される。他のインプリメンテーションにおいて、装置は他の場所に配置され、またはその一部は通信システムの異なるエンティティの中に分散される。装置のエレメントは、機能的に示され、例えば、処理回路によって実行可能なアルゴリズムを含む任意の所望される様式でインプリメント可能である。
【００５１】
装置は容量指示コレクタ５２と総容量デタミナ５４とを含むネットワーク容量アナライザを形成する。コレクタは入力指示（ここで線５６、５８および６２によって提供されるように示される）を受信するように構成されている。線５６は、コアネットワーク通信容量の指示を示し、この値は、コアネットワークにおける通信容量を示す。線５８は、迂回中継ネットワーク通信容量の指示を示し、この値は、迂回中継ネットワークにおける通信容量を示す。さらに線６２は、無線ネットワーク通信容量の指示を示し、この値は、その無線サブシステムを含む無線アクセスネットワークの種々の部分における通信容量を示す。コレクタ５２によって収集された収集値は、総容量デタミナ５４に提供される。デタミナに提供された値は、例えば、平均化または総計されることにより、瞬間的と言うよりはむしろ時間的な通信特性の指示を提供する。すなわち、値が平均化される場合には、または時間をかけて平滑化される場合には、検出器は、このような平均化および平滑化を行うように動作し、平均化または平滑化された指示がデタミナに提供される。
【００５２】
例示的なインプリメンテーションにおいて、ネットワーク容量アナライザを形成する装置は、それぞれ最小信号閾値レベルおよび最小容量閾値レベルを含むエレメント６６および６８をさらに含む。最小信号閾値レベルは、最小許容可能信号強度（ＲＳＳＩ）、ビットエラー確率（ＢＥＰ）、または他の信号閾値レベルインディシアを識別する。さらに、最小容量閾値は、総容量デタミナ５４によって決定されたタイプの最少容量レベルに対応する値を定義する。
【００５３】
動作において、デタミナ５４によって決定された総容量の量子化された値は、無線サブシステムによって定義されたカバレッジエリア内に配置される場合に、移動局によるその検出を可能にする様式で無線サブシステム１６の基地トランシーバ局１８によって同報通信される。例えば、値は、０と１の間の４ビットの値を形成し、移動局によってモニタされる制御チャナル上に同報通信される。例示的なインプリメンテーションにおいて、エレメント６６および６８に含まれる最小信号閾値および最小容量閾値はまた、制御チャネルにより移動局に提供される。異なる無線サブシステムが異なる容量を示す場合には、異なる無線サブシステムによって同報通信される値は異なる。
【００５４】
移動局１２は従来のトランシーバ回路（ここでは受信部７４および送信部７６によって示される）を含む。移動局は、移動局に同報通信され、移動局が通信する無線サブシステムの再選択に従って使用される総容量値および他の情報の指示を受信するように受信部に結合された再セレクタ７８をさらに含む。さらに、再選択が行われる場合には、再セレクタによって行われる再選択に応答して、移動局は新しい無線サブシステムにハンドオフを要求させ、あるいは他の場合にはハンドオフを開始または達成させる。
【００５５】
例示的なインプリメンテーションにおいては、デタミナ５４によって決定された総容量は、収集された距離情報（すなわち、線５６、５８、および６２上に提供される情報）の積という形態である。デタミナは、そこに提供される値を掛けることにより、積を形成し、積は総容量値を形成する。一インプリメンテーションにおいて、値は、加重因子により加重されることにより、比較的により大きなまたはより小さな、分離した線上で提供される特定の値に重みを提供する。容量デタミナによって決定された値は、選択されたレベルの精度（例えば、０から１の間の４ビットの値を形成する）まで量子化される。このインプリメンテーションにおいては、デタミナは、積の値を量子化するための量子化器をさらに含む。
【００５６】
さらに、例示的なインプリメンテーションにおいて、再セレクタは、デタミナによって決定された総容量の値の指示を提供され、同様に最小閾値はまたそこに同報通信される。さらに、ソートおよび最適化手順が再セレクタによって実行される。無線サブシステムの最小信号閾値（例えば、ＲＳＳＩ）は、最も強いセルのリストに見られ、移動局にて測定された場合に無線サブシステムによって送信された信号の測定値が、最小選択閾値を超える場合には、無線サブシステムは適格である（すなわち、容量ベースのセル選択に対する候補である）。最も高い容量を有する最も強いセルが選択される。さらに、例示的なインプリメンテーションにおいては、無線サブシステムは、総容量が最小容量閾値を超える場合に限りさらに選択可能である。言い換えると、信号強度および総容量の両方が、最小閾値レベルよりも良好でなくてならない。
【００５７】
例示的なインプリメンテーションにおいて、以下の手順に従って、再選択が実行される。
【００５８】
【数１】
2008035525.tif 000003
ここで：
ｃ（０．．．Ｎ）＝ＲＳＳＩによってソートされる最も強いセルリストにおける近接するセル
Ｒｉ＝セルｉの受信信号強度指示（ＲＳＳＩ）
Ｃｉ＝ネットワークから受信されるセルｉの利用可能な容量計量
ＣＭＩＮ＝ネットワークから受信されるセルｉの最小容量閾値
ＴＲＳＳＩ＝ネットワークから受信されるセルｉの最小信号強度閾値
ｍ＝セルの選択計量＝信号強度および利用可能な容量の積
である。
【００５９】
図２は、全体が８２で示される、本発明の実施形態の動作に従う、図１に示される通信システム１０の例示的な動作を示す、メッセージ順序図を図示する。ここで、線分８４、８６および８８によって示される無線アクセスネットワーク、コアネットワーク、および迂回中継ネットワークに関する計量情報は、アナライザ４８に提供され、所望される場合には、このような加重かつ平均化された値が、収集される（ブロック９２によって示される）。次いでブロック９６によって示されるように、総容量値が決定される。総容量値の決定は、例えば、個別の計量の値の積を形成することによってなされる。
【００６０】
次いで、線分１０２によって示されるように、総容量値が移動局による検出のために同報通信される。線分１０２はまた、移動局に対する追加の情報（例えば、最小信号閾値および最小容量閾値）を示す。移動局は、ブロック１０４で示される、移動局に同報通信される総容量値に基づく再選択手順を行う。再選択手順に応答して、選択的に、移動局は無線サブシステムの再選択を開始する。再選択の移動局による開始は、線分１０８によって示される。
【００６１】
図３は、全体が１１８で示され、本発明の実施形態の動作方法を示す方法フロー図を図示する。方法は、複数の無線サブシステムを有する無線通信システムにおける無線サブシステムの選択を円滑にする。
【００６２】
まず、ブロック１２２によって示されるように、無線通信システムの指示が収集される。次いで、ブロック１２４によって示されるように、総容量値が、収集された指示に応答して決定される。総容量値は、無線サブシステムの選択に従って使用される。
【００６３】
次いで、ブロック１２６によって示されるように、総容量値を含む制御メッセージが形成かつ送信される。さらにブロック１２８によって示されるように、無線サブシステムは、制御メッセージに含まれる総容量値に応答して選択される。これにより、データ通信サービスに従って通信をハンドオフするように無線サブシステムを選択するための改良された様式が提供される。音声通信を最適化するように設計されている選択手順と比較すると、より最適な選択が可能である。
【００６４】
先の記載は、本発明をインプリメントするための好ましい実施例の記載であり、本発明の範囲は本記載によって必ずしも限定されるべきではない。本発明の範囲は、添付する特許請求の範囲によって定義される。
【図面の簡単な説明】
【００６５】
【図１】図１は、無線通信システムの機能ブロック図を図示し、該システムにおいて、本発明の実施形態は動作可能である。
【図２】図２は、図１に示される通信システムの動作の間に生成される信号を示すメッセージ順序図である。
【図３】図３は、従来の再選択メカニズムの使用に対する、本発明の実施形態に従うサブシステムの再選択の例示的なシミュレートされた結果を示すグラフィカルな表現を図示する。
【符号の説明】
【００６６】
１２  移動局
１６  無線サブシステム
４８  装置
８２  通信システムの例示的な動作
８４  無線アクセスネットワークに関する計量情報
８６  コアネットワークに関する計量情報
８８  迂回中継ネットワークに関する計量情報
１０２  移動局に対する追加の情報
１０８  移動局による再選択の開始
【図１】
2008035525.tif 000004
【図２】
2008035525.tif 000005
【図３】
2008035525.tif 000006